(57)【要約】電磁力補償方式で作動する秤量システムは、平行ガイドユニットとしてハウジングに固定されたベース領域に荷重支持部（５’）を連結する２つのガイドロッド（４’）、および、ベース領域上に搭載された少なくとも１つの伝達レバー（６’）であって、その短いレバーアームには、荷重支持部により結合要素を介して伝達された重さの力が適用され、その長いレバーアーム（７’）には、永久磁石システムのエアギャップ内に突き出たコイルが固定された、前記伝達レバーを有する。この秤量システムは可能な限り幅が狭くなければならず、同時に、伝達レバーの長さおよび永久磁石システム用のスペースは制限されてはならない。このため、ベース領域は２つの分離したサブ領域（２’、３’）に分割され、伝達レバー（６’）はこれら２つのサブ領域の間に伸び、２つの秤量システムは互いに並列して配置されて、これらのベース領域は、各秤量システムのベース領域の２つのサブ領域（２、３）が、他の秤量システムのベース領域の２つのサブ領域（２’、３’）を、互いに関連するそれぞれの位置に固定する様式で、相互連結される。
2007534940.tif 000002
【特許請求の範囲】
【請求項１】
平行ガイドユニットとして、ハウジングに固定されたベース領域に荷重支持部を連結する２つのガイド部材と、少なくとも１つの伝達レバーであって、ベース領域上に支持され、その短いレバーアームには、荷重支持部から結合要素を介して伝達される重さの力が適用され、その長いレバーアームには、永久磁石システムのエアギャップ内に突き出たコイルが固定された、前記伝達レバーを有する電磁力補償方式で作動する秤量システムにおいて、前記ベース領域は、個々の秤量システムにおいて相互連結されていない２つに分離したサブ領域（２、３）に分割され、前記伝達レバー（６）は、ベース領域、ガイド部材、荷重支持部および伝達レバーにより形成される前記システムの本体（１）の全幅が、２つのサブ領域（２、３）と伝達レバー（６）の両方に利用可能な様式で、これら２つのサブ領域の間に導かれ、そして、２つの秤量システム（１９、１９’）が横に並列して配置され、これらのベース領域は、各秤量システムのベース領域の２つのサブ領域（２、３）が、互いに関連するそれらの位置に、他の各秤量システムのベース領域の２つのサブ領域（２’、３’）によってはじめて固定される様式で、相互連結されていること、を特徴とする、前記秤量システム。
【請求項２】
２つの秤量システム（１９、１９’）が実質的に同一であり、これらが、１つの秤量システムがその水平中心長手方向軸（４０）の周りに回転して、横に並列して配置され、これにより、１つの秤量システムの上部領域が、他の秤量システムの下部領域の隣に位置することを特徴とする、請求項１に記載の秤量システム。
【請求項３】
各秤量システムの荷重支持部（５、５’）が、その上側および下側の両方に秤量皿用の固定手段を有することを特徴とする、請求項２に記載の秤量システム。
【請求項４】
各秤量システム（１９、１９’）のベース領域とその２つのサブ領域（２、３；２’、３’）、ガイド部材（４、４’）、荷重支持部（５、５’）および１つまたは２つ以上の伝達レバー（６、６’）が、一体型システム本体（１、１’）を形成し、それぞれが１つの金属ブロックから作られることを特徴とする、請求項１に記載の秤量システム。
【請求項５】
２つの秤量システム（１９、１９’）のベース領域のサブ領域（２、３；２’、３’）が、ねじ（４１）で連結されることを特徴とする、請求項１に記載の秤量システム。
【請求項６】
２つの秤量システム（１９、１９’）のベース領域のサブ領域（２、３；２’、３’）が、接着剤による結合により連結されることを特徴とする、請求項１に記載の秤量システム。
【請求項７】
２つの秤量システム（１９、１９’）のシステム本体（１、１’）が１つの金属ブロックから作られ、共通のベース領域を形成することを特徴とする、請求項４に記載の秤量システム。
【請求項８】
各秤量システム（１９、１９’）の永久磁石システム（１７、１７’）が、２つのシステム本体（１、１’）とほぼ同じ幅であり、各秤量システムが、他の秤量システムの永久磁石システムがその中に突き出ることができるクリアランス（２３、２３’）を有することを特徴とする、請求項４に記載の秤量システム。
【請求項９】
２つの相互連結された秤量システム（１９、１９’）の永久磁石システム（１７、１７’）が、互いに重なり合って整列していることを特徴とする、請求項８に記載の秤量システム。
【請求項１０】
２つの相互連結された秤量システム（１９、１９’）が、共通の永久磁石システム（１７、１７’）を用いることを特徴とする、請求項８に記載の秤量システム。
【請求項１１】
電磁力補償コイルを通って流れる電流を制御するための光学式位置センサーを有する、請求項１に記載の秤量システムであって、１つの秤量システム（１９）用の放射線送信機が、この秤量システムのベース領域（２／３）上に配置され、それぞれの秤量システム用の放射線受信機が、他の秤量システム（１９’）のベース領域（２’／３’）上に配置されることを特徴とする、前記秤量システム。
【請求項１２】
電磁力補償コイルを通って流れる電流を制御するための光学式位置センサーを有する、請求項１に記載の秤量システムであって、それぞれの秤量システム（１９）用の放射線受信機が、この秤量システムのベース領域（２／３）上に配置され、それぞれの秤量システム用の放射線送信機が、他の秤量システム（１９’）のベース領域（２’／３’）上に配置されることを特徴とする、前記秤量システム。
【請求項１３】
伝達レバー（６、６’）が、少なくとも部分的にベース領域（２／３；２’／３’）の横に隣接して伸び、ベース領域（２／３；２’／３’）が、これに隣接して配置された第２の秤量システムの伝達レバーの突出部（７、７’）がその中に突き出ることができるクリアランス（２２、２２’）を有することを特徴とする、請求項１に記載の秤量システム。
【請求項１４】
２つの相互連結された秤量システム（１９、１９’）が共に、保護プレート（２４、２４’）で封入されていることを特徴とする、請求項１に記載の秤量システム。
【発明の詳細な説明】
【技術分野】
【０００１】
発明分野および背景
本発明は、秤量システムであって、電磁力補償方式で作動し、２つのガイド部材を有し、該ガイド部材は、平行ガイドユニットとして荷重支持部をハウジングに固定されたベース領域に連結し、および、ベース領域上に支持された少なくとも１つの伝達レバーを有する、前記秤量システムに関する。荷重支持部により伝達された重さの力は、結合要素を介して、伝達レバーの短いレバーアームに適用される。永久磁石システムのエアギャップ内に突き出たコイルは、長いレバーアームに固定されている。
【背景技術】
【０００２】
この種類の秤量システムは当分野に慣用的であり、例えば、独国特許明細書DE 32 43 350 C2に開示されている。この文献に記載されている秤量システムにおいては、伝達レバー、永久磁石システムおよびコイルは、平行ガイドユニット内の領域、すなわち、ベース領域、荷重支持部および２つのガイド部材の間に配置される。このシステムは幅を狭く作ることができるが、しかしそうすると、伝達レバーの長さおよび永久磁石システムに利用可能なスペースは非常に制限される。
【０００３】
同様のシステムが欧州刊行物EP 0 291 258 A2に開示されており、これにはまた、スペーサーにより相互連結された２つのサブ領域を有する構成が記載されている。
この欠点を回避するため、EP 518 202 A1には、ベース領域に隣接して両側に沿って横向きに導かれる２つの支柱（brace）により伝達レバーを延長し、ベース領域の他の側、すなわち平行ガイドユニットの外側に、コイルと永久磁石システムを配置することが提唱されている。
同様のシステムがDE 100 15 311 A1に開示されている。この文献において、伝達レバーは片側に沿って導かれているため、ベース領域に隣接して非対称である。
【０００４】
複数の秤量システムをできるだけ密接に横に並列して１列に配置する場合、伝達レバー延長部の横の支柱が邪魔して、２つの秤量システムの間の横方向の最小距離は、所望の程度にまで減少できない。ベース領域、ガイド部材、荷重支持部および伝達レバーにより形成されるシステム本体が、例えば１０ｍｍの幅である場合、伝達レバーを延長するための支柱は、幅２ｍｍおよび横の遊びが各々０．５ｍｍであることが必要であり、２つの秤量システム間の距離は、１５．５ｍｍ未満にすることはできない。
【０００５】
本発明の目的
したがって、本発明の目的は、可能な限り狭い幅に作られた秤量システムであって、それらの複数個を並列して狭い間隔で配置することができ、伝達レバーの長さおよび幅と、永久磁石システム用に利用可能なスペースを大きく制限することのない、前記秤量システムを提供することである。
【発明の開示】
【０００６】
発明の概要
本発明によれば、この目的は、ベース領域を、個々の秤量システムにおいては安定に相互連結されていない２つの分離したサブ領域に分割すること、並びに伝達レバーをこれら２つのサブ領域の間に導いて、ベース領域、ガイド部材、荷重支持部および伝達レバーにより形成されるシステム本体の全幅が、２つのサブ領域および伝達レバーの両方に利用可能であるようにすること、並びに２つの秤量システムを横に並列して配置し、これらのベース領域を相互連結することにより、１つの秤量システムのベース領域の２つのサブ領域が、互いに関連するそれらの位置に、他の秤量システムのベース領域の２つのサブ領域のみによって固定されるようにすることで、達成される。
【０００７】
ベース領域を２つのサブ領域に分割することは、伝達レバーをこれら２つのサブ領域の間に導き、これを実際的に任意の所望の長さにすることを可能にする。１つのベース領域の連結されていないサブ領域では、このタイプの独立した秤量システムは当然不可能である。２つの秤量システムを対にすることによってのみ、各秤量システムの分割されたベース領域がしっかり再連結され、固定される。この対の形成により、個々の秤量システムの幅を増加させることなく、連結が形成される。上記の例において、２つの秤量システム間の横方向の最小距離は、１５．５ｍｍから１０．５ｍｍに減少する。
【０００８】
１つの有利な態様において、２つの秤量システムは実質的に同一であり、１つの秤量システムがその水平中心長手方向軸の周りに回転され、次に他の秤量システムに、例えばねじまたは接着剤により連結されるような様式で、対を形成する。
１つのさらに有利な改良版においては、コイルを通って流れる電流を制御するための、放射線（radiation）送信機および放射線受信機からなる光学式位置センサーを対に含める：位置センサーの一部のみが、例えば、放射線送信機が、それぞれの秤量システムのベース領域に配置される。他の部分、例えば放射線受信機は、他の秤量システムのベース領域に配置される。
【０００９】
他の有利なさらなる改良版においては、永久磁石システムもまた、対に含めることができる。各秤量システムの永久磁石システムは、２つのシステム本体とほぼ同じ幅を有し、各秤量システムは、他の秤量システムの永久磁石システムがその中に突き出ることができるクリアランスを有する。その結果、各秤量システムの永久磁石システムは、その直径を大幅に大きくでき、これによってより大きな負荷容量を得ることができる。上記の数値例において、永久磁石システムは２０．５ｍｍまでの直径を有することができる。２つのエアギャップを有する共通の永久磁石システムの使用もまた可能である。
本発明を、模式図を参照してさらに詳細に記載する。
【００１０】
図１は、２つの秤量システムの２つのシステム本体１および１’を示す。システム本体１は、２つのサブ領域２および３に分割されたベース領域、２つのガイド部材４、荷重支持部５、並びに伝達レバー６を有する。荷重支持部上の秤量皿（示されず）用の固定点は、穴１０のみで示されている。２つのガイド部材は、平行ガイドユニットとして作用し、荷重支持部をベース領域に連結する。伝達レバーはベース領域上に薄点（thin point）８によって回転可能に支持される。重さの力は、荷重支持部から伝達レバーの短いアームへと、薄点９を介して伝達される。長いレバーアームの端部７は、コイル（図１には示されず）用の固定穴１１を有する。このコイルは、永久磁石システム（これも図１には示されず）のエアギャップ中に位置し、重さに比例した反力を生成する。図１に示されたシステム本体、コイル、永久磁石システムおよび関連する電子機器が、秤量システムを形成する。この種類の秤量システムおよびそれらの機能は、当分野に慣用であり、ここで詳細に説明する必要はない。
【００１１】
図１に示されたシステム本体は、ベース領域の２つのサブ領域２と３が、相互に連結されていないことを特徴とする。したがって、２つのサブ領域２および３の間には、図中の伝達レバー６の後ろに隠された、安定な連結は存在しない。その結果、伝達レバーは２つのサブ領域２と３の間を通ることができ、任意の長さを有することができる。それにも関わらず、伝達レバーは実際的に、システム本体と同じ幅を有することができる。したがって、伝達レバーは非常に安定で、妨害となる自然の振動に影響されにくい。システム本体１を有する秤量システムは、サブ領域２と３が連結されていないために、それ自体では当然作動できない。秤量システムは、１つの秤量システムのベース領域の２つのサブ領域が、他の秤量システムのベース領域の２つのサブ領域を、互いに関連するそれらの位置に固定する様式で、２つの秤量システムが相互に連結された場合にのみ、作動可能となる。したがって、図１に本のように開いて示されている２つの秤量システムのシステム本体１および１’は、組み立て後は並列して配置され、図２に示されるように本のように閉じられて、ベース領域が相互連結される。
【００１２】
図１および図２において、２つのシステム本体１および１’の個々の要素は同じ参照番号で示される；システム本体１’の要素は、システム本体１の要素と区別するために、単純にプライム印を付して示されている。
【００１３】
図１において、サブ領域２および３並びにサブ領域２’および３’は、システム本体と同じ幅を有し、斜線で示されている。他の領域は０．２ｍｍ狭く、組み立て後に互いに接触しないように、そして互いに独立して動くことができるようになっている。したがって、一旦２つのシステム本体が組み立てられると、ベース領域のサブ領域の斜線の部分のみが互いに接触可能である。しかしこれらのサブ領域の表面形状により、斜交平行線を引いた接触表面のみが実際に互いに接触する：接触面３１は接触面３１’に接触し、接触面２１は接触面２１’に接触し、接触面２０は接触面３０’に接触し、そして接触面３０は接触面２０’に接触する。互いに接触している領域は、ねじで堅く連結される。対応する穴またはねじ穴２９および２９’は、図１に見ることができる。したがって、サブ領域３’は、接触面３０’−２０および３１’−３１を介して、システム本体１のベース領域の２つのサブ領域２と３を、安定に相互連結する。サブ領域２’もまた、接触面２１’−２１および２０’−３０を介して、システム本体１のベース領域の２つのサブ領域２と３を、安定に相互連結する。この二重連結のため、２つのサブ領域２および３は、システム本体１の安定なベース領域を形成する。同様に、サブ領域３は、接触面３０−２０’および３１−３１’を介して、システム本体１’のベース領域の２つのサブ領域２’と３’を、安定に相互連結する。さらに、サブ領域２もまた、接触面２１−２１’および２０−３０’を介して、システム本体１’のベース領域の２つのサブ領域２’と３’を、安定に相互連結する。したがって、記載の連結は、２つのベース領域２および３並びに２’および３’がそれぞれ安定なユニットを形成する、秤量システム対を作り出す。その結果、システム本体１のベース領域の分離したサブ領域２および３並びに、システム本体１’のベース領域の分離したサブ領域２’および３’の両方が、相互の関連において固定され、分離されていないベース領域のように振舞う。
【００１４】
他の有利な態様によれば、図１に示されたシステム本体１および１’は、同一の要素である。システム本体１’は、システム本体１に対して水平中心長手方向軸４０（図３にのみ示されている）の周りに１８０度回転されている。このために、各荷重支持部５または５’は、秤量パン用にその上側および下側の両方に、固定穴１０または１０’を必要とするだけである。さらに、図１に示されたシステム本体１および１’は、それぞれ１つの金属ブロックから（例えばフライス加工またはワイヤＥＤＭにより）一体的に形成される。構成のこの一体型方式により、非常に再現性の高い秤量システムの製造が可能となるが、これは、フレキシブルなまたは可動性の部品の近傍に、クランピングやねじ込み等の必要がないからである。個々のシステム本体を製造可能にするために、細い連結ウェブ２８または２８’を設ける必要がある。これらの連結ウェブは、特に、伝達レバー６または６’にわたるベース領域の２つのサブ領域２と３または２’と３’を連結し、これによってサブ領域２および３または２’および３’がばらばらになるのを防いでいる。２つの個別のシステム本体１および１’を対として組み立てた後、相互の連結により安定性が提供されて、連結ウェブを切断することができる。（全ての図には、既に切断された連結ウェブが示されている。）
【００１５】
図１はさらに、伝達レバー６の端部７が、ベース領域２／３を横向きにわずかに超えて伸びていることを示す。対応する点において、（第２）システム本体１’のベース領域のサブ領域２’は、伝達レバーの端部７の突出部がその中に突き出るクリアランス２２’を有する。同様に、第２システム本体１’の伝達レバー６’の突出端部７’は、第１システム本体１のベース領域のサブ領域２のクリアランス２２中に突き出ることができる。その結果、秤量システム対を形成する２つのシステム本体１および１’の伝達レバーの端部７および７’は、対の垂直中心面内で互いにぴたりと重なり合っている。したがって、図３および図４を参照して以下に詳細に記載される共通の二重磁石を、対の両方の秤量システムに用いることができる。
【００１６】
図１および図２はさらに、有利なさらなる改良版において、電磁力補償制御用の位置センサーも対に含めることができることを示す。第１秤量システム１９の放射線送信機は、ベース領域のサブ領域２の穴１４に位置し、伝達レバー６の後端部７におけるタブ２７上のスロット１２を照らす。スロットを通る放射線に応答する放射線受信機は、サブ領域２’の穴１３’に、したがって、第２秤量システムのシステム本体１’上に位置する。同様に、第２秤量システム１９’の放射線送信機は、ベース領域のサブ領域２’に形成された穴１４’（図２でのみ見ることができる）に配置される。放射線はスロット１２’を通り、穴１３に位置する放射線受信機により検出される。
【００１７】
図３は、永久磁石なしの秤量システム対の中心長手方向断面図である。上記の要素に加えて、図３は、秤量システム対１９／１９’の２つのコイル１５および１５’を示し、これらは、固定ねじ１６または１６’によりそれぞれの伝達レバーの端部７または７’に連結されている。（後の）秤量システム１９用の永久磁石システム（示されず）は、水平中心長手方向軸４０の下のクリアランス２３に配置される。（前の）秤量システム１９’用の永久磁石システムは、水平中心長手方向軸４０の上のクリアランス２３’に配置される。永久磁石システムは、例えば、ベース領域の隣接するサブ領域２および２’に固定することができる。
【００１８】
図３は再度、ベース領域の２つのサブ領域２および３が互いに安定した連結を全く有さないことを、明確に示している。これらは、連結ウェブ２８（図３に示す）により、製造中にのみ相互連結されている。荷重支持部５とベース領域のサブ領域３の間の連結ウェブは、ガイド部材４の薄点を、製造および組み立て中に過剰なたわみから保護する。
【００１９】
図３はまた、伝達レバー６の端部７が突き出ており、そのためこの端部７が中心長手方向断面図においてカットされて見える（＝斜線部）ことを示す。この突き出しのために、（前の）秤量システム１９’の伝達レバーの端部７’もまたカットされて見える。さらに見ることができるのは、（前の）秤量システム１９’のスロット１２’を有するタブ２７’であり、これはさらに突き出て、（後の）秤量システム１９のサブ領域２のクリアランス２２中に突き出ているためである。
【００２０】
図４は、永久磁石システム１７／１７’を含む秤量システム対１９／１９’の透視図である。永久磁石システムは、示された例では１つのみの共通の外部軟鉄リターンパス（external soft iron return path）を有する２つの個別の永久磁石を有する、従来のシステムであるか、または、コイル１５’用に上部エアギャップを、およびコイル１５用に下部エアギャップを有する１つの長い永久磁石を有するシステムのどちらかである。環境中への磁気漏洩を低減するため、永久磁石システムは、上部遮蔽カバー１８’および下部遮蔽カバー１８を有する。永久磁石システムはさらに、完全な秤量システム対と同じ程度の幅であり、すなわち、個別のシステム本体１または１’の約２倍の幅である。これにより、幅の狭いシステム本体にもかかわらず比較的幅の広い永久磁石システムを、したがって、比較的高い負荷容量を得ることを可能にしている。円形永久磁石システムについてももちろん同様であり、この直径はしたがって、２つの個別のシステム本体と同じ程度の大きさに作ることができる。
【００２１】
図４の秤量システム対はさらにより詳細に描かれており、したがって、明確化のために図１〜３に示されていない幾つかの細部もここでは見ることができる。見ることができるのは、例えば、２つのシステム本体を連結する連結ねじ４１である。連結ねじが図４に見える前面からねじ込まれている場合、ベース領域のサブ領域２’および３’の穴２９’は皿穴に埋められ、ねじの頭が突き出さないようになっている。対照的にねじ込み式穴２９”（図４の下に見える）は皿穴に埋められておらず、なぜならばここでは、連結ねじが後ろからねじ込まれており、その目的が、システム本体の全幅を維持して、ねじ式連結に安定性を付与するためだからである。この連結ねじの頭（見えない）に対しては、ベース領域のサブ領域３はもちろん、対応して後ろ側で皿穴を有している。図４において、伝達レバー６’の多くの部分が圧延により薄くされており、周辺ウェブ２６’のみが、システム本体の全幅を有する。これにより伝達レバーは、その安定性に大きな影響を及ぼすことなくより軽くできる。
【００２２】
図５は、秤量システム対１９／１９’を再度完全に示し、各々は、―例えば錠剤用に―プリズム状の支持表面を有する秤量皿２５および２５’を有し、そして各々には保護プレート２４および２４’が設けられている。保護プレート２４’は、前部秤量システムのベース領域のサブ領域２’および３’に、ねじ３２’を用いてしっかり留められている。保護プレート２４は同様に、後部秤量システムのベース領域のサブ領域２および３にしっかりねじで留められている。保護プレートは、秤量システム対を環境影響から保護する。
【００２３】
本発明について、好ましい態様を参照して上で説明した。多くの他の変形がもちろん可能である。例えば、１（または２以上）の付加的な伝達レバーを、荷重支持部５または５’と伝達レバー６または６’の間に設けることができる。２つの秤量システムの２つのベース領域は、ねじの代わりに、接着剤による結合（Klebeverbindung）、リベット、または他の慣用の結合方法を用いて結合して、秤量システム対を形成することができる。全体のシステム本体１または１’を均一な厚さに作り、秤量システム対を組み合わせた場合に、穴２９周りにワッシャーを用いて２つのシステム本体の間に僅かな距離を保証することも可能であり、これによって、２つの秤量システムの荷重支持部、ガイド部材および伝達レバーが互いに独立して動くことができる。技術的にはより複雑であるが、秤量システム対の両方のシステム本体を単一の金属ブロックから作製することも、もちろん可能である。このために、２つのシステム本体の輪郭は各側面から圧延により作製し、荷重支持部、ガイド部材および伝達レバーの分離は、薄い垂直なカットにより、例えばワイヤＥＤＭを用いて作製する。用いられる異なる磁石の種類は、すでに上に記載されている。
例えば、過負荷保護、過負荷制限装置（overload limit stop）、偏心荷重調節機構等の、本発明に必須のものではない秤量システム対の詳細、および完全な電子機器については、当分野で慣用であるために、ここには述べなかった。
【図面の簡単な説明】
【００２４】
【図１】秤量システム対の２つのシステム本体を開いて示した図である。
【図２】図１のシステム本体が組み立てられたところを示す図である。
【図３】秤量システム対の中心長手方向断面である。
【図４】秤量システム対の透視図である。
【図５】封入された秤量システム対の透視図である。
【符号の説明】
【００２５】
参照番号リスト
（第１秤量システム１９について）
１      システム本体
２      ベース領域のサブ領域
３      ベース領域のサブ領域
４      ガイド部材
５      荷重支持部
６      伝達レバー
７      伝達レバーの端部
８      薄点
【００２６】
９      薄点
１０    秤量皿を固定する穴
１１    コイル用の締付け穴
１２    スロット（位置センサー用）
１３    放射線受信機の取付け穴（位置センサー用）
１４    放射線送信機の取付け穴（位置センサー用）
１５    コイル
１６    締付けねじ
１７    永久磁石システム
１８    遮蔽カバー
【００２７】
２０    接触面
２１    接触面
２２    ベース領域のサブ領域２上のクリアランス
２３    永久磁石システム用のクリアランス
２４    保護プレート
２５    秤量皿
２７    タブ
２８    連結ウェブ
２９    穴またはねじ穴
３０    接触面
３１    接触面
４０    中心長手方向軸
４１    連結ねじ
【００２８】
参照番号リスト（続き）
（第２秤量システム１９’について）
１’    システム本体
２’    ベース領域のサブ領域
３’    ベース領域のサブ領域
４’    ガイド部材
５’    荷重支持部
６’    伝達レバー
７’    伝達レバーの端部
８’    薄点
９’    薄点
１０’  秤量皿を固定する穴
１１’  コイル用締付け穴
１２’  スロット（位置センサー用）
【００２９】
１３’  放射線受信機取付け穴（位置センサー用）
１４’  放射線送信機取付け穴（位置センサー用）
１５’  コイル
１６’  締付けねじ
１７’  永久磁石システム
１８’  遮蔽カバー
２０’  接触面
２１’  接触面
２２’  ベース領域のサブ領域２’上のクリアランス
２３’  永久磁石システム用のクリアランス
【００３０】
２４’  保護プレート
２５’  秤量皿
２６’  伝達レバーの円周ウェブ
２７’  タブ
２８’  連結ウェブ
２９’、２９”  穴またはねじ穴
３０’  接触面
３１’  接触面
３２’  ねじ
【図１】
2007534940.tif 000003
【図２】
2007534940.tif 000004
【図３】
2007534940.tif 000005
【図４】
2007534940.tif 000006
【図５】
2007534940.tif 000007
【国際調査報告】
2007534940.tif 000008
2007534940.tif 000009
2007534940.tif 000010
2007534940.tif 000011